(57)【要約】本発明は、ユーザの薬品を管理する方法に関し、保管室（１０２Ｆ、６０８、６２０、９０４）と、保管室を閉鎖するキャップ（１０２Ａ、６０２、６１８、７０４、９１４）とを有する医薬品の容器（１０２）が使用され、容器は、容器内部の温度を測定する温度センサと、容器内部の湿度を測定する湿度センサと、キャップに関連して配置された加速度計センサ（７０２）と、通信手段と、磁力により相互に接着するよう配置された第１の接続部分（１０２Ｄ、６０６）および第２の接続部分（１０２Ｅ）とを有する。本方法は、特定のタイプの容器に対応するように第１の接続部分と第２の接続部分との間の磁力を予め設定することと、第２の接続部分が第１の接続部分に接着する間の第２の接続部分の加速度により容器のタイプを認識することとを含む。【選択図】図１
2019519054.tif 000002
【特許請求の範囲】
【請求項１】
ユーザの薬品を管理する方法であって、保管室（１０２Ｆ、６０８、６２０、９０４）と、前記保管室を閉鎖するキャップ（１０２Ａ、６０２、６１８、７０４、９１４）とを有する医薬品の容器（１０２）が使用され、前記容器は、
・  前記容器内部の温度を測定する温度センサと、
・  前記容器内部の湿度を測定する湿度センサと、
・  前記キャップに関連して配置された加速度計センサ（７０２）と、
・  通信手段と、
・  磁力により相互に接着するよう配置された第１の接続部分（１０２Ｄ、６０６）および第２の接続部分（１０２Ｅ）と、
を有し、前記方法は、
・  前記第１の接続部分と前記第２の接続部分との間の前記磁力を、特定のタイプの容器に対応するように予め設定することと、
・  前記第２の接続部分が前記第１の接続部分に接着する間の、前記第２の接続部分の加速度により、容器の前記タイプを認識することと、
を含む、方法。
【請求項２】
前記方法はさらに、
・  前記キャップ（１０２Ａ、６０２、６１８、７０４、９１４）の前記加速度により、前記容器（１０２）の開封および閉鎖を認識することと、
・  前記容器の前記開封の回数に基づいて、前記容器内に残っている薬剤の量を計算することと、
・  残っている薬剤の前記量を前記ユーザに伝達することと、
・  前記容器内部の前記温度および／または湿度を前記ユーザに伝達することと、
・  前記温度および／または湿度が所定の第１の閾値を上回るおよび／または下回ると、前記ユーザに通知を伝達することと、
・  さらに任意選択で、薬剤の注文をサーバ（１０８）に伝達することと、
を含む、請求項１に記載の方法。
【請求項３】
前記ユーザへの前記通知は、所定の時間内に前記温度および／または湿度が前記薬剤の保管温度および／または保管湿度を上回るおよび／または下回るとの事前警告を含み、さらに／または前記ユーザへの前記通知は、前記薬剤がもはや使用可能でないとの警告を含む、請求項２に記載の方法。
【請求項４】
前記方法はさらに、残っている薬剤の量を伝達すること、および／または前記容器（１０２）内部の前記温度および／または湿度をサーバ（１０８）に伝達すること、ならびに前記サーバが通知を前記ユーザに提供することを含む、請求項１〜３のいずれかに記載の方法。
【請求項５】
前記第１の接続部分（１０２Ｄ、６０６）は、磁気材料を含み、前記第２の接続部分（１０２Ｅ）は、磁気材料または強磁性体材料を含む、請求項１〜４のいずれかに記載の方法。
【請求項６】
前記第１の接続（１０２Ｄ、６０６）部分は、前記保管室（１０２Ｆ、６０８、６２０、９０４）に配置され、前記第２の接続部分（１０２Ｅ）は、前記キャップ（１０２Ａ、６０２、６１８、７０４、９１４）に配置される、請求項１〜５のいずれかに記載の方法。
【請求項７】
前記第１の接続部分（１０２Ｄ、６０６）は前記キャップ（１０２Ａ、６０２、６１８、７０４、９１４）の第１の部分に配置され、前記第２の接続部分（１０２Ｅ）は前記キャップの第２の部分に配置され、前記キャップの前記第２の部分は前記キャップの前記第１の部分に配置される、請求項１〜５のいずれかに記載の方法。
【請求項８】
前記キャップ（１０２Ａ、６０２、６１８、７０４、９１４）は、取り外し可能な部品を有し、前記部品は、前記温度センサ、前記湿度センサ、前記加速度計センサ（７０２）、前記通信手段、および前記第２の接続部分（１０２Ｅ）を有する、請求項１〜７のいずれかに記載の方法。
【発明の詳細な説明】
【技術分野】
【０００１】
本開示は、全般的に、薬剤の保管および輸送に関し、特に、ユーザの薬品を管理する方法に関する。
【背景】
【０００２】
コールドチェーンは、温度制御されたサプライチェーンである。崩壊していないコールドチェーンは、途切れのない一連の保管および流通活動であり、特定の温度範囲を維持する。コールドチェーンは、新鮮な農作物、魚介、冷凍食品、写真フィルム、化学製品、および調合薬などの生産物の有効保管期間を延ばし保証する支援をするために使用される。そのような生産物は、輸送中および一時的な保管場所にあるとき、「冷蔵貨物」と呼ばれる。他の物品または商品と異なり、コールドチェーン物品は腐りやすく、冷蔵倉庫に一時的に保持されているときでも、常にその最終使用または最終目的地に向かう途中であり、よって、一般に、その物流サイクル全体にわたり貨物と呼ばれる。コールドチェーンシステムは、熱帯地域において調合薬および熱不安定性の生物学的製剤（例えば血清およびワクチン）を劣化から保護し、当該地域における予防接種プログラムの必須機能である。一部の薬剤は、低温で、すなわち寒冷気候においても通常の室温未満の温度で、保管される必要がある。
【０００３】
少量の生産物（例えば食料、調合薬など）を運搬するためにクーラーバッグが使用されることもある。クーラーバッグは、使用、清掃、他の場所への移動が容易で、再使用可能であることも多い。クーラーバッグは、例えば低温で融解するジェルを使用することにより、薬剤を（例えば１日の間）冷却または冷凍状態に保つ。しかしながら、クーラーバッグは、その限定的な範囲が理由で、病院または調剤薬局までの比較的短い行程にしか使用できず、その範囲を超えると、コールドチェーンが崩壊する原因となる。薬剤の輸送中、効果「範囲」がどの程度の長さなのかが分かることは重要である（例えば、或る低温保管容器に保管された薬について、薬剤の温度が上がりすぎないうちに、例として最大で５時間または３００ｋｍにわたり輸送可能、との指示がある必要がある）。
【０００４】
さらなる問題は、一部の薬は混合が必要な場合もあり、薬剤が既に混合されているか否かを覚えるプロセスは、単調で、特に高齢の患者の場合には誤りが発生しやすいと考えられることである。薬剤のユーザが、薬を消費した最後の時間を忘れる可能性もある。さらに、医師または医療スタッフは、毎日の生活の中で患者がどのように薬剤を摂取するか、常に把握するのを困難に感じている。薬剤摂取の指針を忠実に守る患者もいれば、指示にもかかわらず薬剤を正しく摂取しない患者もいる。さらに、旅行に出かけるときに薬剤を持って行くのを忘れることもあり得るし、次の分の薬剤を注文し忘れることもあり得る。薬剤の保管および／または監視のための小型冷蔵庫を備えた既存のシステムはあるが、輸送が容易ではない。
【０００５】
文献米国特許出願第２０１６／０１２０７５８号は、錠剤の存在または不存在状態、および／または錠剤ボックスの移動、および／またはボトルキャップの取り外しを検出するセンサと、通信モジュールとを装備した丸薬収納箱を開示している。文献中国実用新案登録出願第２０４４１１２７５（Ｕ）号は、センサおよび送受信機を備えた制御モジュールを有する医薬品収納箱を開示している。このセンサは、加速度センサ、温度センサ、および湿度センサを有する。文献国際公開第２０１５／００２４９２号は、薬剤ケースの外側に着脱可能に取り付けられるように構成されたゴムバンド部材、ゴムバンド部材の取り外しまたは取り付けを感知するゴムバンド部材内側のスイッチ、およびオーディオ出力ユニットを備えた薬品摂取追跡器を提示する。文献米国特許出願第２０１５／０２５７９８１号は、容器からの錠剤の消費を監視する監視器を開示し、この監視器は、複数のセンサと、アラート要素と、送受信機とを有する。このセンサは、錠剤消費の試行を検出し、容器内の錠剤の量を評価するよう構成される。文献米国特許出願第２０１６／００９５７９７号は、プロセッサが結合されたキャニスターを備えた、薬品供給用の組立品を提案する。タイマがキャニスターに結合され、プロセッサおよびタイマは、薬品がキャニスターから取り出されるべきトリガ時間を決定する。この組立品はさらに、警報およびセンサを有する。
【０００６】
したがって、前述の説明を考慮すると、ユーザによる薬剤の保管を管理し消費を監視するための既存の手法の、上述した欠点を克服する必要が存在する。
【先行技術文献】
【特許文献】
【０００７】
【特許文献１】米国特許出願第２０１６／０１２０７５８号
【特許文献２】中国実用新案登録出願第２０４４１１２７５（Ｕ）号
【特許文献３】国際公開第２０１５／００２４９２号
【特許文献４】米国特許出願第２０１５／０２５７９８１号
【特許文献５】米国特許出願第２０１６／００９５７９７号
【摘要】
【０００８】
本開示は、ユーザの薬品を管理する方法を提供し、保管室と、保管室を閉鎖するキャップとを有する医薬品の容器が使用される。容器は、
・  容器内部の温度を測定する温度センサと、
・  容器内部の湿度を測定する湿度センサと、
・  キャップに関連して配置された加速度計センサと、
・  通信手段と、
・  磁力により相互に接着するよう配置された第１の接続部分および第２の接続部分と、
を有する。
【０００９】
本方法は、特定のタイプの容器に対応するように第１の接続部分と第２の接続部分との間の磁力を予め設定することと、第２の接続部分が第１の接続部分に接着する間の第２の接続部分の加速度により容器のタイプを認識することとを含む。
【００１０】
本開示は、保管室と、保管室を閉鎖するためのキャップとを有する、薬剤の容器をさらに提供する。容器はさらに、容器内部の温度を測定する温度センサと、容器内部の湿度を測定する湿度センサと、キャップに関連して配置された加速度計センサと、通信手段と、磁力により相互に接着するよう配置された第１の接続部分および第２の接続部分とを有する。
【００１１】
本開示はさらに、上記で開示された容器と、サーバと、ユーザインターフェースを有するモバイルデバイスとを有する、ユーザの薬品を監視するシステムを提供する。
【００１２】
本開示の実施形態は、従来技術における前述の問題を実質的に除去するか、または少なくとも部分的にそれに対処し、ユーザによる薬剤の保管を管理し、さらにその消費の監視も行う。
【００１３】
本開示のさらなる側面、利点、特徴、および目的は、図面および下記の例示の実施形態の詳細な説明から明らかになる。
【００１４】
当然のことながら、本開示の各特徴は、添付の特許請求の範囲により定義される本開示の範囲から逸脱することなく、様々な組み合わせに統合可能である。
【００１５】
上記の摘要、ならびに以下の例示の実施形態の詳細な説明は、添付の図面と併せて読むとより深く理解される。本開示を説明する目的で、本開示の例示的な構成が図面に示されている。しかしながら、本開示は、本願明細書に開示される特定の方法および手段に限定されるものではない。さらに、当業者には当然のことながら、図面は正確な縮尺ではない。同じ構成要素は可能な限り同一の番号で示した。
【００１６】
以下、次の図面を参照しながら、単なる例として本開示の実施形態について記載する。
【図面の簡単な説明】
【００１７】
【図１】本開示の実施形態によるシステムの概略図である。
【図２Ａ】本開示の実施形態によるサーバの機能ブロック図である。
【図２Ｂ】本開示の実施形態による、図２Ａのサーバデータベースの例示的な表形式ビューである。
【図３】本開示の実施形態によるモバイルデバイスの機能ブロック図である。
【図４Ａ】本開示の実施形態による、図２Ａの温度情報処理モジュールのユーザインターフェースビューである。
【図４Ｂ】本開示の実施形態による、図２Ａのグループ管理モジュールのユーザインターフェースビューである。
【図４Ｃ】本開示の実施形態による、図２Ａのグループ管理モジュールのユーザインターフェースビューである。
【図４Ｄ】本開示の実施形態による、図２Ａの閾値温度推奨モジュールのユーザインターフェースビューである。
【図５Ａ】本開示の実施形態による、図３の薬剤タイプ選択モジュールのユーザインターフェースビューである。
【図５Ｂ】本開示の実施形態による、図３の閾値温度情報伝達モジュールのユーザインターフェースビューである。
【図５Ｃ】本開示の実施形態による、図３の温度情報表示モジュールのユーザインターフェースビューである。
【図５Ｄ】本開示の実施形態による、図３の温度情報表示モジュールのユーザインターフェースビューである。
【図５Ｅ】本開示の実施形態による、図３の温度履歴データ表示モジュールのユーザインターフェースビューである。
【図５Ｆ】本開示の実施形態による、図３のデバイス設定モジュールのユーザインターフェースビューである。
【図５Ｇ】本開示の実施形態による、図３の閾値温度推奨取得モジュールのユーザインターフェースビューである。
【図６Ａ】本開示の実施形態による、容器の部分分解図である。
【図６Ｂ】本開示の実施形態による、別のタイプの容器の斜視図である。
【図６Ｃ】本開示の実施形態による、キャップの斜視図である。
【図７】本開示の実施形態による、加速度計センサの斜視図である。
【図８】本開示の実施形態による、温度感受性薬剤の例示的な図である。
【図９】本開示の実施形態による、容器の機械的構造である。
【図１０Ａ】本開示の実施形態による方法を示すフロー図である。
【図１０Ｂ】本開示の実施形態による方法を示すフロー図である。
【図１１】図１１Ａ〜図１１Ｂは、本開示の実施形態による方法を示すフロー図である。
【図１２】本開示の実施形態による方法を示すフロー図である。
【図１３】本開示の実施形態による方法を示すフロー図である。
【図１４】本開示の実施形態による容器の機能ブロック図である。
【実施形態の詳細な説明】
【００１８】
添付の図面では、下線付きの番号を用いて、下線付きの番号が上に配置された項目、または下線付きの番号と隣接する項目を表す。下線のない番号は、下線のない番号を項目につなげる線で特定される項目に関係する。番号に下線がなく、関連する矢印を伴う場合、下線のない番号は、矢印が指す項目全体を特定するために使用されている。
【００１９】
以下の詳細な説明は、本開示の実施形態と、それを実装できる方法とを示す。本開示を実施する形態がいくつか開示されているが、当業者であれば当然のことながら、本開示を実施または実践する他の実施形態もあり得る。
【００２０】
本開示は、ユーザの薬品を管理する方法を提供し、保管室と、保管室を閉鎖するキャップとを有する医薬品の容器が使用される。容器は、
・  容器内部の温度を測定する温度センサと、
・  容器内部の湿度を測定する湿度センサと、
・  キャップに関連して配置された加速度計センサと、
・  通信手段と、
・  磁力により相互に接着するよう配置された第１の接続部分および第２の接続部分と、
を有する。
【００２１】
本方法は、特定のタイプの容器に対応するように第１の接続部分と第２の接続部分との間の磁力を予め設定することと、第２の接続部分が第１の接続部分に接着する間の第２の接続部分の加速度により容器のタイプを認識することとを含む。
【００２２】
本開示は、保管室と、保管室を閉鎖するためのキャップとを有する、薬剤の容器を提供する。容器はさらに、容器内部の温度を測定する温度センサと、容器内部の湿度を測定する湿度センサと、キャップに関連して配置された加速度計センサと、通信手段と、磁力により相互に接着するよう配置された第１の接続部分および第２の接続部分とを有する。
【００２３】
よって、保管室は、薬剤を保管する場所を有する。例えば保管室は、インシュリンペンまたはその他温度感受性薬剤を保管する。保管室はさらに、必要に応じて、低温および／または高温のジェルを保管する場所を有してもよい。さらに保管室は、単に十分に隔離されていて、したがって、低温ジェルも高温ジェルも一切必要としなくてもよい。この容器はさらに、ユーザの薬品摂取を監視および／または管理するためにも使用できる。その場合、保管の温度は関連せず、すなわち、高温ジェルも低温ジェルも（または類似の製品も）必要ない。容器の保管室はさらに、過剰な湿気を吸収するシリカゲルまたは類似製品のための場所を有してもよい。
【００２４】
キャップは、保管室を閉鎖するよう配置される。キャップは、一部分で作製でき、または２つ、３つ、もしくは４つの部分など、いくつかの部分を有してもよい。理想的には、キャップは、容易に開封および閉鎖できるようになっている一方で、容器が任意の姿勢で輸送され得るようにしっかりとしている。
【００２５】
容器はさらに、温度センサ、湿度センサ、および加速度計センサを有する。温度センサおよび湿度センサは、キャップまたは容器のうちの少なくとも１つと統合される。加速度計センサは、キャップに関連して配置される。つまり、加速度計センサはキャップに統合されてもよい。これらのセンサは、この用途のため十分に小さければ、任意の適切なセンサで、それ自体は既知のものとすることができる。センサは、理想的には通信手段に通信結合され、その測定データを通信手段に伝達するよう構成される。
【００２６】
加速度計センサは、キャップの開封および閉鎖を判断するためにキャップの加速度を感知する。この情報は、例えば、薬品摂取の監視（キャップが開封されるといくらかの薬品が容器から取り出されるとの想定による）に使用できるが、容器の温度、すなわち容器内部、保管室内の温度を監視するためにも使用可能である。逆に、キャップの開封および閉鎖は、容器の温度の変化を監視することによって判断することもできる。
【００２７】
さらに、キャップに対する加速度計センサの位置が既知である場合、容器の姿勢を判断できる（例えば容器の上部が上か下か）。この情報は、キャップが容器本体に取り付けられているか、容器本体から取り外されているかを判断するためにも使用可能である。
【００２８】
容器はさらに、信号をサーバまたはモバイルデバイスのうちの少なくとも１つに伝達するよう構成され得る通信手段を有する。通信は例えば、無線リンク、ワイヤレス通信、有線通信、ワイヤレスローカルエリアネットワーク（ＷＬＡＮ：ｗｉｒｅｌｅｓｓ  ｌｏｃａｌ  ａｒｅａ  ｎｅｔｗｏｒｋ）、またはローカルエリアネットワーク（ＬＡＮ：ｌｏｃａｌ  ａｒｅａ  ｎｅｔｗｏｒｋ）を使用して実施されてもよい。
【００２９】
温度センサ、湿度センサ、および通信手段は、それらの機能に配慮しながら、保管室内に、必要に応じてキャップ内に配置できる。
【００３０】
容器はさらに、第１の接続部分および第２の接続部分を有する。第１の接続部分と第２の接続部分とは、磁力により相互に接着するよう配置される。或る実施形態によれば、異なる接続部分がいくつかあるか、または、各接続部分の閉鎖に必要な磁力を主な違いとすることもできる。かかる組み合わせはデータベースに入力され、キャップが閉鎖および／または開封されると加速度センサが加速度データを提供するので、検出される特定の加速度をデータベース内の情報と結びつけることができ、そうして容器のタイプを検出および識別できる。例えば、２つの接続部分間の磁力は、容器のサイズに比例できる。つまり、より小さな容器にはより弱い磁力を用いる接続部分が装備され、より大きな容器にはより強い磁力を用いる接続部分が装備される。磁力は加速度センサを用いて間接的に求めることができるので、容器のサイズは、磁力を接続部分の既知のペアのデータベースと対照すると判断できる。換言すれば、第１の接続部分および第２の接続部分は、加速度計センサを使用して測定できる、再現可能かつ測定可能な反応を形成する。別の例として、磁力を使用して、同じサイズ（および／またはフォームファクタ）の容器同士を（例えば容器Ａと容器Ｂとを）識別することができる。容器Ａの２つの接続部分の間の磁力を、容器Ｂの２つの接続部分の間の磁力と比べて異なるものとすることができるであろう。この磁力が、容器の閉鎖／開封時にキャップに異なる加速度を生じさせ、そうして容器Ａの閉鎖／開封と、容器Ｂの閉鎖／開封とを識別可能にする。
【００３１】
容器は、エネルギー源など、本記載に従った容器の使用に必要な他の部分も有する。エネルギー源は、例えば電池とすることができ、または容器は、運動エネルギーを貯蔵する手段を有してもよい。
【００３２】
或る実施形態によれば、第１の接続部分は磁気材料を含み、第２の接続部分は磁気材料または強磁性体材料を含む。別の実施形態によれば、第１の接続部分は保管室に配置され、第２の接続部分はキャップに配置される。さらに別の実施形態によれば、第１の接続部分はキャップの第１の部分に配置され、第２の接続部分はキャップの第２の部分に配置され、キャップのこの第２の部分はキャップの第１の部分に配置される。
【００３３】
もちろん、第１の接続部分が保管室に配置され、第２の接続部分がキャップに配置されることが可能である。本実施形態において、例えばキャップ自体の加速度を測定することによる、または保管室に対するキャップの加速度（磁力を原因とする）を測定することによるなど、様々な形で容器の開封および閉鎖を判定できる。両接続部分がキャップに配置される場合、磁力の測定は、典型的には、キャップが製造されまたは組み立てられるときに、１回のみ行われる。その後、接続部分が分解されることが、必ずしも再びあるとは限らない。
【００３４】
一方、さらなる実施形態によれば、キャップは取り外し可能な部品を有し、この部品は加速度計センサおよび第２の接続部分を有する。別の実施形態によれば、取り外し可能な部品は、温度センサ、湿度センサ、加速度計センサ、通信手段、および第２の接続部分を有する。これらの実施形態において、特に第２の実施形態により、例えば電池を使い切ったときに、取り外し可能な部品を容易に交換可能である。
【００３５】
別の実施形態によれば、ユーザは、例えば所定の形でカバーをタップすること（例えば２回または３回の連続したタップ）により、薬剤を摂取したと通知することができる。このタップが加速度計センサにより記録されてさらに伝達される。
【００３６】
容器は、ポリオレフィン、ポリ塩化ビニル、エチレン酢酸ビニルコポリマー、またはアルミニウムもしくは鉄などの金属材料など、任意の適切な材料で構成できる。保管室とキャップとは、同じ材料製のものであっても、異なる材料製のものであってもよい。
【００３７】
容器は、薬剤の輸送バッグ／保管ユニットとして使用できる。したがって、この容器を使用して、輸送および／または保管中に薬剤を無事に保つために適切な温度が容器内部に維持されるかどうかを監視することができる。
【００３８】
本開示は、ユーザの薬品を監視するシステムにも関する。本事例では、システムは、サーバと、ユーザインターフェースを有するモバイルデバイスとをさらに有する。サーバは、例えばデスクトップ、モバイル電話、スマートフォン、タブレット、パーソナルコンピュータ、または電子手帳などであってもよい。したがって、モバイルデバイスがサーバとしても機能することもできる。モバイルデバイスは、モバイル電話、スマートフォン、タブレット、電子手帳、スマートウォッチ、または類似のものとすることができる。
【００３９】
サーバは例えば、閾値温度情報取得モジュール、容器温度情報取得モジュール、温度情報処理モジュール、警報伝達モジュール、グループ管理モジュール、閾値温度推奨モジュール、およびサーバデータベースを有してもよい。閾値温度情報取得モジュールは、好適には、選択されたタイプの薬剤について容器の閾値温度リミットをモバイルデバイスから取得し、例えばそれをデータベースに保存するよう構成される。容器温度情報取得モジュールは、好適には、容器のセンサユニットから容器内部の温度を取得するよう構成される。つまり、温度センサが容器内部の温度を感知し、温度情報をサーバに伝達する。
【００４０】
温度情報処理モジュールは、好適には、容器内部の温度が閾値温度リミット（例えばソフト温度リミットまたはハード温度リミット）を超過するかどうかを判断するよう構成される。容器内部の温度が閾値温度リミットを超過すると、警報伝達モジュールが、容器および容器内部の保管条件に注意を払わせるために、音または視覚的な通知をモバイルデバイス上で伝達する。例えばデータベースは、下限ソフト温度リミット、下限ハード温度リミット、上限ソフト温度リミット、および上限ハード温度リミットの、４つの異なる温度リミットを含むことができる。ソフト温度リミットは、薬剤を使用可能に保つために保管条件の変化が必要であるとの警報を発生させるリミットである。ハード温度リミットは、それ未満になるかまたはそれを超えると薬剤が既に使用不能で、つまり劣化していて処分されなければならないリミットである。これらのリミットの警報は、どの温度リミットが超過されたのかユーザに明確に通知するために、好適には異なるように設定される。
【００４１】
グループ管理モジュールは、好適には、例えば読み取り専用アクセスを第三者（例えばほかのメンバー）に提供するオプションをサーバのユーザ（例えばグループ管理者）に提供するよう構成される。さらにグループ管理モジュールは、好適には、ユーザのグループのメンバーの容器の、測定データ履歴を確認するオプションを、ユーザに提供するよう構成される。閾値温度推奨モジュールは、好適には、容器の新たな閾値温度リミットをモバイルデバイスに推奨するよう構成される。閾値温度推奨モジュールは、容器の情報およびユーザに対する指示をモバイルデバイスに提供してもよい。サーバデータベースは、容器のセンサユニットから受信されさらに／または様々な測定データ（加速度データ、温度データ）に基づき判断された、容器情報（例えば容器内部の温度および／または湿度、容器の電池状態、または容器内部に残っている薬剤の量）を記憶してもよい。
【００４２】
モバイルデバイスは例えば、デバイスデータベース、薬剤タイプ選択モジュール、閾値温度情報伝達モジュール、温度情報表示モジュール、警報受信モジュール、温度履歴データ表示モジュール、閾値温度推奨取得モジュール、およびデバイス設定モジュールを備えてもよい。デバイスデータベースは、例えば容器の温度履歴情報、サーバから受信された容器の新たな閾値温度リミット、および／または容器の閾値温度リミットを保存してもよい。薬剤タイプ選択モジュールは、例えば、容器の中の利用可能な薬剤のタイプを選択するオプションをデバイスユーザに提供してもよい。閾値温度情報伝達モジュールは、例えば、選択されたタイプの薬剤について容器の閾値温度情報をサーバに伝達してもよい。温度情報表示モジュールは、例えば、容器の温度をサーバから取得して、容器内部の温度をモバイルデバイスにおいて表示してもよい。警報受信モジュールは、例えば、容器の温度が閾値温度リミットを超過すると保管条件に注意を払わせるための音または視覚的な通知を受信してもよい。警報受信モジュールはさらに、警報（例えば音、振動、または視覚的な通知）を受信してもよい。
【００４３】
温度履歴データ表示モジュールは例えば、サーバから容器の温度履歴データを取得して、温度履歴データを表示してもよい。閾値温度推奨取得モジュールは、例えば、容器の新たな閾値温度リミットのうちの少なくとも１つに関する推奨、または容器の情報および指示を、サーバから取得してもよい。閾値温度推奨取得モジュールは、例えば、容器の電池レベルが低いときまたは空のときに電池を交換せよとの視覚的な通知を表示してもよい。デバイス設定モジュールは、例えば容器の電池レベル、グループ（例えば管理者グループ）の情報、警告温度、薬剤のタイプ、および温度閾値リミット、または切断オプションなどのうちの少なくとも１つを表示してもよい。
【００４４】
システムはさらに、容器内部の温度および／または湿度の履歴を考慮に入れ、薬剤の有効保管時間に対するその影響を計算または推定するよう構成されてもよい。例えば、或る特定の薬剤は、或る特定の温度で使用可能であり続けるかもしれないが、その条件は、薬剤の製造業者がもともと示した保管時間から、薬剤の保管時間を縮めるようなものであるかもしれない。
【００４５】
別の側面において、ユーザの薬品を管理する方法が提供され、この方法は、上述した容器を使用して実施される。本方法は、特定のタイプの容器に対応するように第１の接続部分と第２の接続部分との間の磁力を予め設定することと、第２の接続部分が第１の接続部分に接着する間の第２の接続部分の加速度により容器のタイプを認識することとを含む。したがって、本方法は、接続部分の記載に関連して上述されたように用いられる。
【００４６】
或る実施形態において、本方法は、キャップの加速度により容器の開封および閉鎖を認識することと、容器の開封の回数に基づき容器内に残っている薬剤の量を計算することと、残っている薬剤の量をユーザに伝達することと、容器内部の温度および／または湿度をユーザに伝達することと、温度および／または湿度が所定の第１の閾値を上回るおよび／または下回るとユーザに通知を伝達することとをさらに含む。当然、上記で列挙した様々な情報またはその一部の伝達が異なるユーザに対して行われることもあり得る。例えば情報を、管理人に、またはユーザおよび管理人に、またはユーザの親類もしくは介護者に送信できる。例えば、容器の中の薬剤の量が所定のリミット未満になると、薬剤の自動注文が薬局などに送信されることも可能である。したがって、別の実施形態によれば、本方法はさらに、薬剤の注文をサーバに伝達することを含む。
【００４７】
一実施形態によれば、ユーザへの通知は、定義済みの時間内に温度および／または湿度が薬剤の保管温度および／または湿度を上回るおよび／または下回るとの事前警告を含む。この実施形態は、上記でもより詳細に説明した。つまり、事前警告は、いわゆるソフト温度リミットに関係する。
【００４８】
別の実施形態によれば、ユーザへの通知は、薬剤がもはや使用可能でないと示す警告を含む。キャップは、エラー状態を視覚的に示すインジケータ（例えばＬＥＤ）を有してもよい。例えば、容器の温度がハード温度リミットを超過すると、ＬＥＤインジケータが点灯する。
【００４９】
別の実施形態によれば、本方法はさらに、サーバに残っている薬剤の量を伝達することおよび／または容器内部の温度および／または湿度を伝達することと、サーバが通知をユーザに提供することとを含む。したがって、容器は、ユーザ（例えば適切なアプリケーションを介して容器に関連付けられたユーザのモバイルデバイス）と直接、またはサーバを介して通信してもよい。
【００５０】
この容器により収集される測定データ（例えば温度、湿度、加速度、ＧＰＳ位置、気圧）は、データベースなどの他の情報源から取得された測定データと組み合わされてもよい。そのようなデータベースは、例えば地球の任意の場所からの記録済み温度データ、交通量、輸送時刻表などを含んでもよい。組み合わされたこれらのデータは、その結果、容器に関する訓練データセットとして機能するデータベースを構成する。この訓練データセットは、再帰型ニューラルネットワーク（ＲＮＮ：Ｒｅｃｕｒｒｅｎｔ  Ｎｅｕｒａｌ  Ｎｅｔｗｏｒｋ）を訓練するために使用される。ＲＮＮの最も注目に値する特徴は、記憶効果であり、それによりアルゴリズムが、再帰的なパターンの認識方法を学習する。最終結果として、訓練されたＲＮＮは例えば、容器に保管された薬品がどの程度長く使用可能であり続けるか、またはいつ新たな薬品のセットが注文されるべきかの推定を与えることができる。訓練されたＲＮＮは、回帰または統計に基づく従来の方法よりも大幅に正確な予測の手段である。本記載の実施形態は、完全にハードウェアの実施形態、完全にソフトウェアの実施形態、またはハードウェアおよびソフトウェア両方の構成要素を備えた実施形態の形態をとることができる。ソフトウェアに実装される実施形態は、次に限定はされないが、ファームウェア、常駐ソフトウェア、マイクロコードなどを含む。さらに、本願明細書の実施形態は、コンピュータまたは任意の命令実行システムにより、またはそれに関連して使用されるプログラムコードを提供する、コンピュータ使用可能またはコンピュータ可読媒体からアクセス可能なコンピュータプログラム製品の形態をとることができる。本記載では、コンピュータ使用可能またはコンピュータ可読媒体は、命令実行システム、装置もしくはデバイスによって、またはそれに関連して使用されるプログラムを有すること、記憶すること、伝達すること、伝播させること、もしくは搬送することができる任意の装置とすることができる。
【００５１】
媒体は、電子、磁気、光学、電磁気、赤外線、もしくは半導体のシステム（もしくは装置もしくはデバイス）または伝播媒体とすることができる。コンピュータ可読媒体の例には、半導体またはソリッドステートメモリ、磁気テープ、取り外し可能コンピュータディスケット、ランダムアクセスメモリ（ＲＡＭ：ｒａｎｄｏｍ  ａｃｃｅｓｓ  ｍｅｍｏｒｙ）、読み取り専用メモリ（ＲＯＭ：ｒｅａｄ−ｏｎｌｙ  ｍｅｍｏｒｙ）、剛体磁気ディスク、および光ディスクが含まれる。光ディスクの現在の例には、コンパクトディスク読み取り専用メモリ（ＣＤ−ＲＯＭ：ｃｏｍｐａｃｔ  ｄｉｓｋ−ｒｅａｄ  ｏｎｌｙ  ｍｅｍｏｒｙ）、コンパクトディスク読み取り／書き込み（ＣＤ−Ｒ／Ｗ：ｃｏｍｐａｃｔ  ｄｉｓｋ−ｒｅａｄ／ｗｒｉｔｅ）、およびＤＶＤが含まれる。
【００５２】
プログラムコードの記憶および／または実行またはその両方に適したデータ処理システムは、システムバスを介してメモリ要素に直接または間接的に結合された少なくとも１つのプロセッサを備えるかもしれない。メモリ要素は、プログラムコードを実際に実行する間に用いられるローカルメモリ、大容量ストレージ、および実行中にコードが大容量ストレージから読み出されなければならない回数を減らすために少なくとも一部のプログラムコードの一時的なストレージとなるキャッシュメモリを含むことができる。
【００５３】
入出力（Ｉ／Ｏ：Ｉｎｐｕｔ／ｏｕｔｐｕｔ）デバイス（限定はされないが、キーボード、ディスプレイ、ポインティングデバイス、リモートコントロールなどを含む）は、直接、または介在するＩ／Ｏコントローラを介して、システムに結合可能である。ネットワークアダプタもシステムに結合されて、データ処理システムが、他のデータ処理システムまたはリモートプリンタまたはストレージデバイスに、介在するプライベートネットワークまたはパブリックネットワークを介して結合された状態となることを可能にしてもよい。モデム、ケーブルモデム、およびイーサネット（登録商標）カードは、現在利用可能なタイプのネットワークアダプタのごく一部である。
【図面の詳細な説明】
【００５４】
図１は、本開示の実施形態によるシステム１００の概略図である。システム１００は、容器１０２、モバイルデバイス１０４、ネットワーク１０６、およびサーバ１０８を備える。容器１０２はさらに、キャップ１０２Ａ、センサユニット１０２Ｂ、容器本体１０２Ｃ、第１の接続部分１０２Ｄ、第２の接続部分１０２Ｅ、および通信ユニット１１０を備える。容器本体１０２Ｃは、様々な薬剤を保管できる保管室１０２Ｆを備える。キャップ１０２Ａは、容器本体１０２Ｃを閉鎖するよう配置される。センサユニット１０２Ｂおよび通信ユニット１１０は、キャップ１０２Ａに関連して配置されてもよい。センサユニット１０２Ｂは、容器１０２内部の温度を測定する温度センサ、容器１０２内部の湿度を測定する湿度センサ、およびキャップ１０２Ａに関連して配置された加速度センサを含む。センサユニット１０２Ｂは、測定データを伝達するために通信ユニット１１０と通信結合される。通信ユニット１１０は、容器１０２の保管室１０２Ｆに保管される薬剤を管理および監視するために、ネットワーク１０６上で直接、またはモバイルデバイス１０４を介して、サーバ１０８と通信している。通信ユニット１１０は、容器１０２の容器情報を、モバイルデバイス１０４またはサーバ１０８のうちの少なくとも１つに伝達する。第１の接続部分１０２Ｄは、容器本体１０２Ｃに関連して配置されてもよい。第２の接続部分１０２Ｅは、キャップ１０２Ａに関連して配置されてもよい。第１の接続部分１０２Ｄと第２の接続部分１０２Ｅとは、磁力を用いて相互に接着するよう配置される。第１の接続部分１０２Ｄおよび第２の接続部分１０２Ｅは、磁気材料または強磁性体材料を含んでもよい。サーバ１０８は、容器情報（例えば容器１０２内部の温度および／または湿度、容器１０２の電池状態、または容器１０２内部の利用可能な薬剤の量）を通信ユニット１１０から受信する。サーバ１０８は、容器情報を処理し、それをモバイルデバイス１０４に送信する。
【００５５】
図２Ａを参照する。本開示の実施形態による、サーバ１０８の（例えば図１のサーバの）機能ブロック図２００Ａが示されている。サーバ１０８の機能ブロック図２００Ａは、閾値温度情報取得モジュール２０２、容器温度情報取得モジュール２０４、温度情報処理モジュール２０６、警報伝達モジュール２０８、グループ管理モジュール２１０、閾値温度推奨モジュール２１２、およびサーバデータベース２１４を含む。これらのモジュールは、上述したように機能する。
【００５６】
図２Ｂを参照する。本開示の実施形態による、容器１０２の温度情報の保存を示す、図２Ａのサーバデータベース２１４の例示的な表形式ビュー２００Ｂが示されている。サーバデータベース２１４の例示的な表形式ビュー２００Ｂは、容器温度フィールド２１５、薬剤タイプフィールド２１６、使用期限フィールド２１８、およびステータスフィールド２２０を備える。容器温度フィールド２１５は、容器１０２内部の温度を保存する。薬剤タイプフィールド２１６は、容器１０２内の利用可能な薬剤のタイプを保存する。使用期限フィールド２１８は、容器１０２内部の温度に基づく薬剤の使用期限を保存する。ステータスフィールド２２０は、薬剤のステータス、すなわち、容器１０２内部の温度および容器１０２内部に保管された薬剤のタイプに基づき薬剤が使用可能か否かを保存する。
【００５７】
図３を参照する。本開示の実施形態によるモバイルデバイス１０４の機能ブロック図３００が示されている。上述のとおり、モバイルデバイス１０４の機能ブロック図３００は、デバイスデータベース３０２、薬剤タイプ選択モジュール３０４、閾値温度情報伝達モジュール３０６、温度情報表示モジュール３０８、警報受信モジュール３１０、温度履歴データ表示モジュール３１２、閾値温度推奨取得モジュール３１４、およびデバイス設定モジュール３１６を備える。
【００５８】
図４Ａを参照する。本開示の実施形態による、図２Ａの温度情報処理モジュール２０６のユーザインターフェースビュー４００Ａが示されている。温度情報処理モジュール２０６は、容器１０２内部の温度を処理し、容器１０２の温度履歴データ４０２を表示する。温度情報処理モジュール２０６のユーザインターフェースビュー４００Ａはさらに、容器１０２内の利用可能な薬剤のタイプおよび容器１０２の電池レベルを含む容器情報４０４を表示する。温度情報処理モジュール２０６のユーザインターフェースビュー４００Ａは、別個のデータファイルとして容器情報４０４をダウンロードするオプションを提供するデータダウンロードフィールド４０６を備える。温度情報処理モジュール２０６のユーザインターフェースビュー４００Ａは、容器１０２内部の温度が閾値温度リミットを超過すると通知を提供するインジケータフィールド４０８を備える。サーバ１０８の警報伝達モジュール２０８は、必要な場合、容器１０２の保管条件に注意を払わせるために、警報（例えば音、振動、または視覚的メッセージ）をモバイルデバイス１０４に伝達する。
【００５９】
図４Ｂ〜図４Ｃを参照する。本開示の実施形態による、図２Ａのグループ管理モジュール２１０のユーザインターフェースビューが示されている。グループ管理モジュール２１０のユーザインターフェースビュー４００Ｂは、全ユーザフィールド４１０、グループメッセージフィールド４１２、メンバー招待フィールド４１４、およびデータダウンロードフィールド４１６を備える。全ユーザフィールド４１０は、グループに属するメンバーのリストを表示する。グループ管理モジュール２１０のユーザインターフェースビュー４００Ｂは、読み取り専用アクセスを第三者ユーザに提供するオプションをユーザ（例えばグループ管理人）に提供する。ユーザインターフェースビュー４００Ｂはさらに、グループ内のメンバーの測定履歴を確認するオプションをサーバ１０８のユーザに提供する。グループメッセージフィールド４１２は、グループの全メンバーにメッセージを送信するオプションをユーザに提供する。メンバー招待フィールド４１４は、新たなメンバーをグループに招待するオプションをユーザに提供する。データダウンロードフィールド４１６は、グループ情報を別個のファイルとしてダウンロードするオプションを提供する。
【００６０】
ユーザインターフェースビュー４００Ｃは、正規化された履歴データフィールド４１８およびグループ説明フィールド４２０を備える。正規化された履歴データフィールド４１８は、容器１０２の閾値温度リミットに対して正規化された温度履歴データを表示する。グループ説明フィールド４２０は、或る薬剤タイプのユーザ、地理的位置、またはその他任意の共通特徴のうちの少なくとも１つに基づくユーザグループの説明を表示する。
【００６１】
図４Ｄを参照する。本開示の実施形態による、図２Ａの閾値温度推奨モジュール２１２のユーザインターフェースビュー４００Ｄが示されている。閾値温度推奨モジュール２１２は、推奨メッセージ４２２をモバイルデバイス１０４に自動的に伝達する。推奨メッセージ４２２は、デバイス情報、指示、または新たな閾値リミットのうちの少なくとも１つを含む。
【００６２】
図５Ａを参照する。本開示の実施形態による、図３の薬剤タイプ選択モジュール３０２のユーザインターフェースビュー５００Ａが示されている。ユーザインターフェースビュー５００Ａは、デバイスユーザが使用する薬剤５０２のタイプを選択するオプションをデバイスユーザに提供する。薬剤タイプ選択モジュール３０２は、デバイスユーザが室温保管された薬剤を使用するか冷蔵条件で保管された薬剤を使用するかを選択するオプションをデバイスユーザに提供する。
【００６３】
図５Ｂを参照する。本開示の実施形態による、図３の閾値温度情報伝達モジュール３０６のユーザインターフェースビュー５００Ｂが示されている。ユーザインターフェースビュー５００Ｂは、温度リミットフィールド５０４Ａ〜Ｂと、薬剤使用期限フィールド５０６とを備える。温度リミットフィールド５０４Ａ〜Ｂは、閾値温度リミット（すなわち薬剤の高温リミットおよび低温リミット）をあらかじめ設定するオプションをデバイスユーザに提供する。薬剤使用期限フィールド５０６は、室温で薬剤が使用可能であり続ける時間の長さを設定するオプションをデバイスユーザに提供する。
【００６４】
図５Ｃ〜図５Ｄを参照する。本開示の実施形態による、図３の温度情報表示モジュール３０８のユーザインターフェースビューが示されている。温度情報表示モジュール３０８は、容器１０２の温度をサーバ１０８から取得し、容器１０２内部の温度をモバイルデバイス１０４において表示する。例えば、温度情報表示モジュール３０８のユーザインターフェースビュー５００Ｃは、容器１０２の現在温度５０８（例えば２１℃）、および過去の温度データスロープに基づく、現在温度５１０で薬剤が有効である期間の推定を表示する。
【００６５】
温度情報表示モジュール３０８のユーザインターフェースビュー５００Ｄは、容器１０２内部の温度を表示する。温度情報表示モジュール３０８のユーザインターフェースビュー５００Ｄは、容器１０２の現在温度（例えば２９℃）を表示し、５１２にて、温度がハード温度リミットを超過した期間（例えば温度が５分間にわたりハード温度リミットを超過した）を表示する。温度情報表示モジュール３０８のユーザインターフェースビュー５００Ｄは、モバイルデバイス１０４において「使用禁止」メッセージ５１４を表示する。ユーザインターフェースビュー５００Ｄは、サーバ１０８に確認応答し、さらに／またはモバイルデバイス１０４をリセットするためのオプションをデバイスユーザに提供する、確認応答およびリセットフィールド５１６を含む。
【００６６】
図５Ｅを参照する。本開示の実施形態による、図３の温度履歴データ表示モジュール３１２のユーザインターフェースビュー５００Ｅが示されている。温度履歴データ表示モジュール３１２のユーザインターフェースビュー５００Ｅは、容器１０２の温度データの履歴を表示する。モバイルデバイス１０４とサーバ１０８との間の接続が落ちて、温度の履歴が利用できなければ、ユーザインターフェースビュー５００Ｅはこのことをデバイスユーザに視覚的に表示する（本実施形態では直線５２０として示されており、場合により別の色でレンダリングされる）。ユーザインターフェースビュー５００Ｅは、月単位、週単位、または１日単位で温度履歴データを閲覧するオプション５１８をデバイスユーザに提供する。
【００６７】
図５Ｆを参照する。本開示の実施形態による、図３のデバイス設定モジュール３１６のユーザインターフェースビュー５００Ｆが示されている。ユーザインターフェースビュー５００Ｆは、容器１０２の情報（例えば容器情報、電池状態、機内モードオプション、警告温度設定、薬剤およびリミット、切断オプション、および一般オプション）、アカウント詳細、またはグループおよびメッセージ詳細のうちの少なくとも１つを含むオプション５２２を提供する。
【００６８】
図５Ｇを参照する。本開示の実施形態による、図３の閾値温度推奨取得モジュール３１４のユーザインターフェースビュー５００Ｇが示されている。閾値温度推奨取得モジュール３１４のユーザインターフェースビュー５００Ｇは、サーバ１０８から自動化された推奨を取得し、それらをモバイルデバイス１０４においてメッセージとして表示する。例えば、閾値温度推奨取得モジュール３１４のユーザインターフェースビュー５００Ｇは、容器１０２の温度がソフト温度リミット未満に低下するか、またはそれより上に上昇すると、「温度に注意」メッセージを表示する。別の例では、閾値温度推奨取得モジュール３１４のユーザインターフェースビュー５００Ｇは、容器１０２の電池レベルが低くなると、「電池交換」メッセージを表示する。
【００６９】
図６Ａを参照する。本開示の実施形態による、容器の部分分解図６００Ａが示されている。部分分解図６００Ａには、キャップ６０２および容器本体６０４が含まれる。容器本体６０４は、第１の接続部分６０６および保管室６０８を備える。第１の接続部分６０６は、対応部６１０および１つ以上の磁石６１２Ａ〜Ｂを備える。キャップ６０２は、第２の接続部分６１４を備える。第２の接続部分６１４は、１つ以上の磁気ネジ６１６Ａ〜Ｂを備える。対応部６１０は、容器本体６０４に関連して配置される。対応部６１０は、１つ以上の磁石６１２Ａ〜Ｂのための場所を備える。保管室６０８は、薬剤を保管するため容器本体６０４に適合される。
【００７０】
図６Ｂを参照する。本開示の実施形態による、別のタイプの容器の斜視図６００Ｂが示されている。斜視図６００Ｂは、キャップ６１８および保管室６２０を備える。保管室６２０は、様々な薬剤を保管する。キャップ６１８は、キャップ６１８が様々なフレームに接続されることを可能にする対応構成要素部を備える。
【００７１】
図６Ｃを参照する。図６Ｂのキャップの斜視図６００Ｃが示されている。キャップは、開口部６２４を有し、その中に構成要素６２２を容易にはめ込むことができる。構成要素６２２は、センサ、通信手段、および接続部分を有する。この実施形態において、構成要素６２２は、例えばその電池を使い切ったときに交換可能である。
【００７２】
図７を参照する。本開示の実施形態による、（図１にあるような）容器のキャップ７０４の開封位置を識別するための加速度計センサ７０２の斜視図７００が示されている。斜視図７００は、加速度計センサ７０２を使用した、キャップ７０４の開封および閉鎖方向の識別を示す。キャップ７０４の開封または閉鎖方向の識別は、加速度計センサ７０２から取得される情報と、温度変化情報とを組み合わせることにより識別される。
【００７３】
図８を参照する。本開示の実施形態による、容器１０２に様々な形態で梱包可能な温度感受性薬剤／薬の例示的な図８００が示されている。例示的な図８００は、典型的に温度感受性薬剤に使用される異なる形態の梱包を示す。例えば、薬剤は、アンプル８０２または円筒形カートリッジ８０４に梱包されてもよい。
【００７４】
図９を参照する。本開示の実施形態による、容器９０２の機械的構造９００が示されている。容器９０２の機械的構造９００は、円柱形状の薬剤９０６を保管する保管室９０４、１つ以上の特定の磁石９０８Ａ〜Ｂ、および矩形形状の薬剤９１０を備える。機械的構造９００は、円柱形状の薬剤９０６が容器本体９１２の保管室９０４に挿入されるのを示す。矩形形状の薬剤９１０は、円筒形状の容器であることが理由で、容器本体９１２の保管室９０４内に挿入されない。１つ以上の特定の磁石９０８Ａ〜Ｂが、容器本体９１２を識別するために使用される。或る実施形態において、異なるサイズの容器本体は、異なるサイズの磁石（または異なる磁力を持つ磁石）を備え、このことにより、容器を閉鎖または開封するときにキャップ９１４に区別可能な加速度が生じる。別の実施形態において、閉鎖および／または開封されるときにキャップ９１４に区別可能な加速度を生じるように、同じサイズの容器本体が、相互に異なるサイズの磁石を有することができる。
【００７５】
図１０Ａ〜図１０Ｂは、本開示の実施形態による、サーバ１０８を使用して容器１０２内部の温度を判断する方法を示すフロー図である。ステップ１００２にて、モバイルデバイス１０４とセンサユニット１０２Ｂとのペアリングが受け入れられる。ステップ１００４にて、容器１０２内部の現在温度が表示される。或る実施形態では、モバイルデバイス１０４をリセットして容器１０２内部の現在温度を表示するために、ハードウェアスイッチが押される。ステップ１００６にて、デバイスユーザがモバイルデバイス１０４とやり取りして温度リミットを受け入れる。温度リミットが受け入れられると、ステップ１００８にて、記録ボタンのアクティブ化により、温度情報が記録および分析される。温度リミットが受け入れられなければ、ステップ１０１０にて、温度リミットが変更、記録および分析される。ステップ１０１２にて、ソフト温度リミットが温度リミットを超過するかどうかを判断する。ソフト温度リミットが温度リミットを超過する場合、ステップ１０１４にて、温度に関する問題があるかもしれないとの通知がモバイルデバイス１０４に伝達される。ソフト温度リミットが温度リミットを超過しなければ、プロセスは再度、ステップ１００８から開始する。ステップ１０１６にて、ハード温度リミットが温度リミットを超過するかどうかを判断する。ハードリミットが温度リミットを超過すれば、ステップ１０１８にて、アラートがモバイルデバイス１０４に伝達される。ハード温度リミットが温度リミットを超過しなければ、プロセスは再度、ステップ１０１４から開始する。ステップ１０２０にて、デバイスユーザによりアラートの確認応答がされたかどうかを判断する。デバイスユーザによりアラートの確認応答がされる場合、記録ボタンのアクティブ化により温度情報が記録および分析される。アラートの確認応答がされなければ、アラートがモバイルデバイス１０４に伝達される。
【００７６】
図１１Ａ〜図１１Ｂは、本開示の実施形態による、どの薬剤がいつ摂取されるかをサーバ１０８を使用して判断する方法を示すフロー図である。ステップ１１０２にて、サーバ１０８を使用して、薬剤の使用（例えば、どの薬剤がいつ摂取されるか）が判断され、表示される。ステップ１１０４にて、前に薬剤を摂取してからの経過時間が長すぎる場合、デバイスユーザは薬剤を摂取するよう注意を受ける。ステップ１１０６にて、容器１０２のキャップ１０２Ａの開封が、温度センサおよび／または加速度計センサ７０２を使用して検出される。ステップ１１０８にて、キャップ１０２Ａをタップすることによる薬剤摂取の確認応答がデバイスユーザから取得される。ステップ１１１０にて、摂取された薬剤がメモリに記録される。ステップ１１１２にて、キャップ１０２Ａの閉鎖が加速度計センサ７０２を使用して検出され、プロセスは循環する。
【００７７】
図１２は、本開示の実施形態による、モバイルデバイス１０４を使用して容器１０２内の利用可能な薬剤の量を判断する方法を示すフロー図である。ステップ１２０２にて、薬剤の情報がサーバ１０８から読み出される。ステップ１２０４にて、容器が開封されるかどうか、および薬剤が何回摂取されるかが判断される。ステップ１２０６にて、容器１０２内の利用可能な薬剤の量が分析される。ステップ１２０８にて、容器１０２内に利用可能な薬剤がそれ以上ないか、またはその量が予め設定された閾値未満になった場合に、新たな薬剤のセットを注文することがデバイスユーザに提案される。
【００７８】
図１３は、本開示の実施形態による、サーバ１０８からモバイルデバイス１０４に容器１０２の電池レベルを伝達する方法を示すフロー図である。ステップ１３０２にて、容器１０２の電池レベルが取得される。ステップ１３０４にて、容器１０２の電池レベルが分析される。ステップ１３０６にて、データベースを使用してユーザが識別される。ステップ１３０８にて、該当するデバイスユーザに、新たな電池または新たな容器への交換が提案される。
【００７９】
図１４を参照する。本開示の実施形態による容器１４０２の機能ブロック図１４００が示されている。容器１４０２の機能ブロック図１４００は、センサユニット１４０４および通信ユニット１４０６を備える。センサユニット１４０４は、容器１４０２内部の温度を測定する温度センサ１４０８、容器１４０２内部の湿度を測定する湿度センサ１４１０、およびキャップの開封または閉鎖を識別するためにキャップの加速度を測定する加速度センサ１４１２を備える。センサユニット１４０４は、測定データを通信ユニット１４０６に伝達するために通信ユニット１４０６と通信結合される。通信ユニット１４０６は、測定データをサーバに伝達する。
【００８０】
添付の特許請求の範囲により定義される本開示の範囲から逸脱することなく、上述した本開示の実施形態に対する変更が可能である。
【図１】
2019519054.tif 000003
【図２Ａ】
2019519054.tif 000004
【図２Ｂ】
2019519054.tif 000005
【図３】
2019519054.tif 000006
【図４Ａ】
2019519054.tif 000007
【図４Ｂ】
2019519054.tif 000008
【図４Ｃ】
2019519054.tif 000009
【図４Ｄ】
2019519054.tif 000010
【図５Ａ】
2019519054.tif 000011
【図５Ｂ】
2019519054.tif 000012
【図５Ｃ】
2019519054.tif 000013
【図５Ｄ】
2019519054.tif 000014
【図５Ｅ】
2019519054.tif 000015
【図５Ｆ】
2019519054.tif 000016
【図５Ｇ】
2019519054.tif 000017
【図６Ａ】
2019519054.tif 000018
【図６Ｂ】
2019519054.tif 000019
【図６Ｃ】
2019519054.tif 000020
【図７】
2019519054.tif 000021
【図８】
2019519054.tif 000022
【図９】
2019519054.tif 000023
【図１０Ａ】
2019519054.tif 000024
【図１０Ｂ】
2019519054.tif 000025
【図１１】
2019519054.tif 000026
【図１２】
2019519054.tif 000027
【図１３】
2019519054.tif 000028
【図１４】
2019519054.tif 000029
【国際調査報告】
2019519054.tif 000030
2019519054.tif 000031
2019519054.tif 000032